(57)【特許請求の範囲】
【請求項１】
分岐通水口を有する流体管に対して、径方向に分割されていると共に、左右の環状のパッキンによって水密性を保持し、周方向に回転可能に接続されるケース体と、その側方を向く分岐口部とを備えた管接続装置であって、
前記流体管の分岐通水口から一方側に離れた該流体管の外周面に突設され、前記流体管に対してその管軸方向の前記ケース体の移動を阻止する係止部材と、
前記流体管の管軸方向でパッキンの外側に位置し、前記係止部材に対向したケース体に形成されたリング溝で構成される移動阻止部材と、を備え、
前記移動阻止部材のリング溝は管軸方向の両溝側面に前記係止部材の両側面が当接する溝幅に形成されていることを特徴とする管接続装置。
【請求項２】
係止部材が、複数に分割されたリング状に形成され、流体管の外周面に所定の深さで形成された溝に取り付けられている請求項１に記載の管接続装置。
【請求項３】
分岐口部が、分岐管に接続する連絡管と、この連絡管の外周面に所要の隙間を形成して水密に外嵌できる分岐口部と、連絡管を所定寸法だけ軸方向に摺動できるように前記連絡管と分岐口部の間に介設された係止手段と、で構成された請求項１に記載の管接続装置。
【請求項４】
分岐口部が、内周面の一部が球面状をなす分岐口部と、この分岐口部内に水密性を保持して摺動可能な球面リングと、この球面リング内に水密性を保持して嵌合され、軸方向に相対的に摺動しうる連絡管と、で構成された請求項１に記載の管接続装置。
【発明の詳細な説明】
【０００１】
【発明の属する技術分野】
本発明は、例えば水道本管等の流体管に分岐管を接続する際に用いられる管接続装置に関する。
【０００２】
【従来の技術】
水道本管等に分岐管を接続するものとして、図４、図５に示すような管接続装置としての割Ｔ字管Ａが知られている。
【０００３】
この従来の割Ｔ字管Ａは、三つのケースＢ１、Ｂ２からなり、それぞれのケースＢ１、Ｂ２にはフランジＣが設けてある。ケース同士は、対向するフランジＣでパッキンＤを挟み込み、ボルト・ナットＥにより締着される。第１ケースＢ１には、分岐管Ｋに接続される分岐口部Ｆが管軸に対して直角外向きに設けてあり、その分岐口部Ｆの内部に水道本管Ｉと分岐管Ｋとを連絡する連通口Ｆ１が開けてある。また、各ケースの管軸方向両端部には、固定用座Ｇが突出して複数設けられている。固定用座Ｇには雌ねじが切ってあり、固定ボルトＨが外側から内側に向かってねじ込まれている。水道本管Ｉには、分岐管Ｋに通水するための分岐通水口Ｊが穿孔されており、割Ｔ字管Ａは、第１ケースＢ１の連通口Ｆ１をその分岐通水口Ｊに対向する位置に合わせて、水道本管Ｉの外周面に水密に取り付けられている。また、割Ｔ字管Ａは、固定ボルトＨを強くねじ込むことにより、その先端を水道本管Ｉ外周面に食い込ませて水道本管Ｉに固定されている。
【０００４】
【発明が解決しようとする課題】
上記の管接続装置には、地震や地盤沈下等により、水道本管と分岐管がさまざまな方向に相対移動し、曲げや引張り又は圧縮の力が作用する。水道本管と分岐管が管軸方向に相対移動するような場合、第１ケースの分岐口部の基部に大きな力が集中して作用し、割れ等の破損が発生する恐れがあった。また、水道管とケースとは固定ボルトによって締付け固定のみであるため、前述のような力が作用した場合、管接続装置が過度に移動してしまい漏水事故を起こす恐れがあった。
【０００５】
本発明が解決しようとする課題は、上記問題を解決するためになされたもので、分岐口部の基部等に大きな力が作用するのを防止し、同時に流体管とケース体の移動による漏水を防止しうるようにした管接続装置を提供する点にある。
【０００６】
【課題を解決するための手段】
上記課題を解決するために、本発明の管接続装置は、分岐通水口を有する流体管に対して、径方向に分割されていると共に、左右の環状のパッキンによって水密性を保持し、周方向に回転可能に接続されるケース体と、その側方を向く分岐口部とを備えた管接続装置であって、
前記流体管の分岐通水口から一方側に離れた該流体管の外周面に突設され、前記流体管に対してその管軸方向の前記ケース体の移動を阻止する係止部材と、
前記流体管の管軸方向でパッキンの外側に位置し、前記係止部材に対向したケース体に形成されたリング溝で構成される移動阻止部材と、を備え、
前記移動阻止部材のリング溝は管軸方向の両溝側面に前記係止部材の両側面が当接する溝幅に形成されていることを特徴としている。
【０００９】
上記係止部材が、複数に分割されたリング状に形成され、流体管の外周面に所定の深さで形成された溝に取り付けられているのが好ましい。
【００１０】
上記分岐口部が、分岐管に接続する連絡管と、この連絡管の外周面に所要の隙間を形成して水密に外嵌できる分岐口部と、連絡管を所定寸法だけ軸方向に摺動できるように前記連絡管と分岐口部の間に介設された係止手段と、で構成されるのが好ましい。
【００１１】
上記分岐口部が、内周面の一部が球面状をなす分岐口部と、この分岐口部内に水密性を保持して摺動可能な球面リングと、この球面リング内に水密性を保持して嵌合され、軸方向に相対的に摺動しうる連絡管と、で構成されるのが好ましい。
【００１２】
本発明によると、管接続装置に地震や地盤沈下等により、曲げや引張り又は圧縮の力が作用した際、流体管とケース体が周方向に回転し、分岐口部と分岐管との効果的な屈曲を許すことにより、分岐口部の基部等に大きな力が作用するのが防止される。
【００１３】
【発明の実施の形態】
以下、本発明の実施例を図面に基づいて説明する。
【００１４】
図１及び図２は、本発明の第１実施例を示すもので、地中に埋設されたダクタイル鋳鉄製等の水道本管(流体管)１の外周面に、ケース体２が水密性を保持して装着されている。ケース体２は、径方向に２分割可能な第１ケース２ａと第２ケース２ｂとからなり、その両端部のパッキン溝３内には、パッキン４が水道本管１の外周面に密着するように装着されている。ケース体２は、水道本管１に対してパッキン４のみで接触しているので外からケース体２に力が働くと管外周面に沿った周方向の回転が可能である。ケース体２は、２分割に限らず３分割など複数に分割可能であってよい。
【００１５】
第１ケース２ａには、管軸に対して直角外向きに分岐口部５が一体に設けられており、その分岐口部５の先端開口部の内周面には、環状パッキン溝５ａと係止凸部（係止手段）５ｂが形成されている。
【００１６】
連絡管６は、分岐口部５の最小内径部よりも小さな外径をしており、環状パッキン溝５ａに配された環状パッキン７を介して分岐口部５内に、伸縮可撓自在に取り付けられている。連絡管６の一端には、分岐管１３を接続するためのフランジ８が、他端には、係止凸部５ｂに当接し連絡管６の抜け出しを防止するストッパーリング(係止手段)９が設けられている。連絡管６は、分岐口部５の外周面に伸縮可撓自在に外嵌してもよい。
【００１７】
ケース体２の管軸方向外側に管表面にほぼ垂直な当接面（移動阻止部材）１０が設けられ、水道本管１の外周面には、当接面１０に接した位置に溝１１が形成されて、係止リング（係止部材）１２がその溝に取り付けてある。
【００１８】
係止リング１２は、２分割されており、リングの両端にはタップを立てた段部１２ａ、１２ｂが形成され、ボルト１７により一体のリング状に組み立てられている。係止リング１２は、管外周面と溶接して固定してもよい。
【００１９】
本発明の管接続装置に曲げや引張り又は圧縮の力が作用しても、、水道本管１とケース体２の周方向の回転により吸収され、ケース体２に加わる力が低減される。また、水道本管１とケース体２は、水道本管１に固定されている係止リング１２に当接面１０が当接しているので、軸方向に相対移動することがないので漏水するようなことはない。さらに、前記の力は連絡管６がケース体２に対して撓み、又は伸縮することによって吸収されるのでケース体２にかかる力が低減される。
【００２０】
したがって従来のように、分岐口部５の基部に亀裂が発生したり、ケース体２が軸方向に移動して漏水するような恐れはなくなる。
【００２１】
図３は本発明の第２実施例を示す。地中に埋設されたダクタイル鋳鉄製等の水道本管(流体管)１の外周面に、ケース体２が水密性を保持して装着されている。ケース体２は、径方向に２分割可能な第１ケース２ａと第２ケース２ｂとからなり、その両端部のパッキン溝３内には、パッキン４が水道本管１の外周面に密着するように装着されている。第１実施例と同じくケース体２は、水道本管１に対してパッキン４のみで接触しているので外からケース体２に力が働くと管外周面に沿った周方向の回転が可能である。
【００２２】
第１ケース２ａには、管軸に対して直角外向きに分岐口部５が一体に設けられており、その分岐口部５の先端開口部の内周面には、環状パッキン溝５ａと球状面５ｃが形成されている。分岐口部５の内側に、外周面が球面状に形成され、内側に環状パッキン溝１４ａと係止凸部１４ｂが形成してある球面リング１４が環状パッキン７を介して水密に嵌合されている。分岐口部５の外側には、内周面に球状面が形成してある押輪１５が前記球面リング１４の抜け出しを防止するように止着されている。
【００２３】
連絡管６は、環状パッキン溝１４ａに配された環状パッキン１６を介して水密に球面リング１４に挿入されている。連絡管６の一端には、分岐管１３を接続するためのフランジ８が、他端には、係止凸部１４ｂに当接し連絡管６の抜け出しを防止するストッパーリング９がボルトにより取り付けられている。
【００２４】
ケース体２のパッキン溝３の管軸方向外側に、径方向内側に開口する係止リング１２とほぼ同じ幅のリング溝（環状溝）１８が形成してあり、このリング溝１８内には後述する係止リング（係止部材）１２が移動できないように配されている。
【００２５】
水道本管１の外周面の所定位置に、ケース体２の左右のリング溝１８中心間距離に等しい距離を隔てて溝１１が２個所形成され、分割された係止リング１２がその溝１１に取り付けてある。リング溝１８の管軸方向の両面が係止リング１２の両側面に当接するため、係止リング１２を１個所に設置するだけで左右両方へ移動が阻止できる。
【００２６】
本発明の管接続装置に曲げや引張り又は圧縮の力が作用しても、水道本管１とケース体２の周方向の回転により吸収され、ケース体２に加わる力が低減される。また、分岐口部に球面リングを加えたために分岐口部と接続管の曲げ角が大きく取れるので、ケース体２に加わる力が低減される。
【００２７】
したがって従来のように、分岐口部の基部に亀裂が発生したり、ケース体が軸方向に移動して漏水するような恐れはなくなる。
【００２８】
本発明は、上記実施例に限定されるものではない。
【００２９】
第２実施例の場合は、係止リング１２を２個所取り付けたが、１個所にしてもよい。また、リング溝１８をケース体とは別体に設けてもよい。
【００３０】
係止リング１２は、２分割だけでなく複数に分割してもよい。
【００３１】
分岐管は、連絡管に仕切弁を取り付けた後に、その仕切弁に取り付けてもよい。
【００３２】
【発明の効果】
本発明によれば、流体管とケース体が周方向に回転し、相対的屈曲を許容させ分岐口部基部における亀裂等の損傷の発生が抑えられる。また、係止部材と移動阻止部材が互いに両側面によって当接しているので、流体管とケース体の分岐通水口を挟んた軸方向の相対移動が阻止され、移動による漏水が抑えられる。
【００３４】
更に、係止部材が１個所でよいので経済的である。
【００３５】
請求項２の発明によれば、係止部材の流体管への固定が確実となる。
【００３６】
請求項３および請求項４の発明によれば、分岐口部と分岐管が相対的に屈曲および伸縮が行えるので、分岐口部の基部に働く力を付加的に抑えることができる。
【００３７】
【図面の簡単な説明】
【図１】本発明の第１実施例を示す一部切欠正面図である。
【図２】同じく、係止リングを示す拡大断面図である。
【図３】本発明の第２実施例を示す一部切欠正面図である。
【図４】従来例を示す正面図である。
【図５】従来例を示す中央縦断側面図である。
【符号の説明】
１              水道本管（流体管）
２              ケース体
２ａ            第1ケース
２ｂ            第2ケース
３              パッキン溝
４              パッキン
５              分岐口部
５ａ            環状パッキン溝
５ｂ            係止凸部（係止手段）
５ｃ            球状面
６              連絡管
７              環状パッキン
８              フランジ
９              ストッパーリング（係止手段）
１０            当接面（移動阻止部材)
１１            溝
１２            係止リング（係止部材）
１２ａ、１２ｂ  段部
１３            分岐管
１４            球面リング
１４ａ          環状パッキン溝
１４ｂ          係止凸部
１５            押輪
１６            環状パッキン
１７            ボルト
１８            リング溝（環状溝）
Ａ              割Ｔ字管
Ｂ１、Ｂ２      ケース
Ｃ              フランジ
Ｄ              パッキン
Ｅ              ボルト・ナット
Ｆ              分岐口部
Ｆ１            連通口
Ｇ              固定用座
Ｈ              固定ボルト
Ｉ              水道本管
Ｊ              分岐通水口
Ｋ              分岐管
【図１】
0004089794.tif 000002
【図２】
0004089794.tif 000003
【図３】
0004089794.tif 000004
【図４】
0004089794.tif 000005
【図５】
0004089794.tif 000006